(57)【要約】【課題】  オゾンには衣類の汚れ成分を分解することによる洗浄効果もあり、オゾンによる衣類の洗浄、消臭および除菌効果が向上した、衣類乾燥機、洗濯機および衣類乾燥機能付き洗濯機を提供すること。【解決手段】  オゾン発生装置４０は、取り込んだ空気にコロナ放電を加えてオゾンを発生する。このオゾンは、ブロア２０およびドラム３の回転により乾燥風路１５へと吸い込まれ、ヒータ２１に加熱された空気に混入されて、入口１７からドラム３へと供給される。そのため、乾燥される衣類にオゾンが供給され、衣類が効果的に消臭および除菌される。オゾン発生装置４０は、乾燥風路１５から離れて配置されているので、オゾン発生素子の交換が容易となる。乾燥終了後にはドラム３内のオゾンが酸化反応により消滅しているので、ユーザがドラム３から衣類を取り出す際に、オゾンにより影響を受ける虞はない。【選択図】図１
2010264305.tif 000002
【特許請求の範囲】
【請求項１】
水を溜め、衣類を収容して洗濯を行うとともに、衣類の脱水および乾燥を行うための処理槽と、
一端および他端を有し、それら一端および他端は処理槽に接続されていて、処理槽内の空気を循環させるための乾燥風路と、
乾燥風路に備えられ、一端側から処理槽内の空気を取り出し、他端側から処理槽へと空気を戻すための空気流を発生させる送風手段と、
乾燥風路に設けられ、乾燥風路を通る空気中の湿気を取り除くための除湿手段と、
乾燥風路に設けられ、乾燥風路を通る空気を加熱するための加熱手段と、
オゾンを発生させるためのオゾン発生装置と、
処理槽に衣類が収容された後、処理槽に洗い用の水が供給される前に、オゾン発生装置で発生されたオゾンを乾燥風路の他端から処理槽内に供給させるためのオゾン供給制御手段と、
を含むことを特徴とする、洗濯機。
【請求項２】
前記オゾン供給制御手段は、オゾン供給前に、前記送風手段および加熱手段を動作させ、処理槽内の空気を循環・加熱させて処理槽内を温めることを特徴とする、請求項１記載の洗濯機。
【請求項３】
前記処理槽内の衣類の量を検知する負荷量検知手段を備え、
負荷量検知手段で検知された負荷量が所定値以下のときは、前記オゾン供給制御手段はオゾンを供給しないことを特徴とする、請求項１記載の洗濯機。
【請求項４】
洗濯された後の衣類の乾燥を行うための処理槽と、
オゾンを発生させるためのオゾン発生装置と、
処理槽内の衣類の乾燥度合い検知するための乾燥度合い検知手段と、
乾燥度合い検知手段で検知される乾燥度合いが予め定める状態になったとき、オゾン発生手段で発生されたオゾンを処理槽へ供給するためのオゾン供給制御手段と、
を含むことを特徴とする、乾燥機。
【請求項５】
前記オゾン供給制御手段は、処理槽における乾燥運転終了後に、処理槽内のオゾンが酸化反応により消滅するように時間を考慮して、乾燥運転終了前にオゾン供給を停止することを特徴とする、請求項４記載の乾燥機。
【請求項６】
乾燥運転において、温度が上昇した衣類の温度を下げるためのクールダウン運転を行う構成を有し、
前記オゾン供給制御手段は、クールダウン運転終了前にオゾンの供給を停止することを特徴とする、請求項４または５記載の乾燥機。
【請求項７】
前記処理槽は、衣類の乾燥の前に水を溜め、衣類を洗濯すると共に、衣類を脱水することのできる槽であることを特徴とする、請求項４〜６のいずれかに記載の衣類乾燥機能付き洗濯機。
【発明の詳細な説明】
【技術分野】
【０００１】
この発明は、洗濯する衣類の洗浄、消臭および除菌効果の向上した洗濯機、乾燥機および衣類乾燥機能付き洗濯機に関する。
【背景技術】
【０００２】
従来より、加熱装置で生成した温風を循環通路内で循環させ、オゾン発生装置で生成したオゾンを乾燥室内の衣類に供給することにより、衣類の消臭および除菌を行うものが知られており、特許文献１に記載の発明では、布団乾燥機が提案されている。
【０００３】
また、特許文献２に記載の発明では、このような消臭および除菌手段を用いた洗濯機が提案されている。
【先行技術文献】
【特許文献】
【０００４】
【特許文献１】特開平４−３７１１９９号公報
【特許文献２】特開２００２−３２０７９２号公報
【発明の概要】
【発明が解決しようとする課題】
【０００５】
しかし、特許文献１に記載の布団乾燥機において、布団が濡れている（湿気を帯びている）状態でオゾンを供給した場合、オゾン濃度がかなり高くない限りオゾンの溶解度が低いので、布団に含まれた水分が妨げとなって布団内部までオゾンが浸透せず、消臭および除菌効果の向上を図ることができない。
【０００６】
一方、特許文献２に記載の洗濯機においても、濡れている衣類に対してオゾンを供給するため、特許文献１に記載の発明と同様の課題が残されている。
【０００７】
従って、オゾンには衣類の汚れ成分を分解することによる洗浄効果もあり、このような背景のもとになされたこの発明は、オゾンによる衣類の洗浄、消臭および除菌効果が向上した、衣類乾燥機、洗濯機および衣類乾燥機能付き洗濯機を提供することを目的とする。
【課題を解決するための手段】
【０００８】
請求項１記載の発明は、水を溜め、衣類を収容して洗濯を行うとともに、衣類の脱水および乾燥を行うための処理槽と、一端および他端を有し、それら一端および他端は処理槽に接続されていて、処理槽内の空気を循環させるための乾燥風路と、乾燥風路に備えられ、一端側から処理槽内の空気を取り出し、他端側から処理槽へと空気を戻すための空気流を発生させる送風手段と、乾燥風路に設けられ、乾燥風路を通る空気中の湿気を取り除くための除湿手段と、乾燥風路に設けられ、乾燥風路を通る空気を加熱するための加熱手段と、オゾンを発生させるためのオゾン発生装置と、処理槽に衣類が収容された後、処理槽に洗い用の水が供給される前に、オゾン発生装置で発生されたオゾンを乾燥風路の他端から処理槽内に供給させるためのオゾン供給制御手段と、を含むことを特徴とする、洗濯機である。
【０００９】
請求項２記載の発明は、前記オゾン供給制御手段は、オゾン供給前に、前記送風手段および加熱手段を動作させ、処理槽内の空気を循環・加熱させて処理槽内を温めることを特徴とする、請求項１記載の洗濯機である。
【００１０】
請求項３記載の発明は、前記処理槽内の衣類の量を検知する負荷量検知手段を備え、負荷量検知手段で検知された負荷量が所定値以下のときは、前記オゾン供給制御手段はオゾンを供給しないことを特徴とする、請求項１記載の洗濯機である。
【００１１】
請求項４記載の発明は、洗濯された後の衣類の乾燥を行うための処理槽と、オゾンを発生させるためのオゾン発生装置と、処理槽内の衣類の乾燥度合い検知するための乾燥度合い検知手段と、乾燥度合い検知手段で検知される乾燥度合いが予め定める状態になったとき、オゾン発生手段で発生されたオゾンを処理槽へ供給するためのオゾン供給制御手段と、を含むことを特徴とする、乾燥機である。
【００１２】
請求項５記載の発明は、前記オゾン供給制御手段は、処理槽における乾燥運転終了後に、処理槽内のオゾンが酸化反応により消滅するように時間を考慮して、乾燥運転終了前にオゾン供給を停止することを特徴とする、請求項４記載の乾燥機である。
【００１３】
請求項６記載の発明は、乾燥運転において、温度が上昇した衣類の温度を下げるためのクールダウン運転を行う構成を有し、前記オゾン供給制御手段は、クールダウン運転終了前にオゾンの供給を停止することを特徴とする、請求項４または５記載の乾燥機である。
【００１４】
請求項７記載の発明は、前記処理槽は、衣類の乾燥の前に水を溜め、衣類を洗濯すると共に、衣類を脱水することのできる槽であることを特徴とする、請求項４〜６のいずれかに記載の衣類乾燥機能付き洗濯機である。
【発明の効果】
【００１５】
請求項１記載の発明によれば、衣類の洗濯、脱水および乾燥を行うことができる洗濯機において、処理槽内に洗い用の水が供給される前の衣類、すなわち湿っていない乾燥した衣類がオゾンに晒されるので、オゾンが衣類の内部にまで浸透し、衣類の消臭および除菌効果の向上ならびに汚れ成分の分解による洗浄効果の向上を図ることができる。
【００１６】
請求項２記載の発明によれば、オゾン供給制御手段は、送風手段および加熱手段により、処理槽内の乾燥した衣類を高温にするので、オゾンによる消臭および除菌効果が一層向上する。特に高温下においては、消臭効果が促進される。
【００１７】
請求項３記載の発明によれば、負荷量検知手段により検知された負荷量が所定値以下の場合には、オゾン供給制御手段はオゾンの供給をしない。そのため、未反応のオゾンの濃度が高くなることを防止し、オゾンを安全に制御することができる。
【００１８】
請求項４記載の発明によれば、オゾン供給制御手段は、乾燥度合い検知手段で検知される乾燥度合いが予め定める状態になってからオゾンを供給するので、オゾンが衣類の内部にまで効率良く浸透し、衣類の消臭および除菌効果の向上を図ることができる。
【００１９】
請求項５記載の発明によれば、乾燥運転終了後には処理槽内のオゾンが酸化反応により消滅しているので、ユーザが処理槽から衣類を取り出す際に、オゾンにより影響を受ける虞はない。
【００２０】
請求項６記載の発明によれば、乾燥度合いが予め定める状態になったとき、たとえば衣類の温度が最も高く、乾燥している状態から、オゾンが供給されるので、オゾンが衣類の内部にまで効率良く浸透し、衣類の消臭および除菌効果の向上を図ることができる。また、クールダウン運転により乾燥した衣類の温度が下げられ、ユーザが処理槽から快適に衣類を取り出すことができる。また、クールダウン運転終了前にオゾンの供給が停止されているので、乾燥運転終了後には処理槽内のオゾンが酸化反応により消滅し、ユーザが処理槽から衣類を取り出す際に、オゾンにより影響を受ける虞はない。
【００２１】
請求項７記載の発明によれば、同一の洗濯槽において、衣類の洗濯、脱水および乾燥ができるので、上記の、高い消臭および除菌効果、オゾン発生素子の交換の容易性ならびにオゾンに関する高い安全性に加えて、外形寸法を押えた衣類乾燥機能付き洗濯機を提供することができる。
【図面の簡単な説明】
【００２２】
【図１】この発明の一実施形態に係る電気洗濯機の構成の概要を表わす側面縦断面図である。
【図２】図１において、変形例によるオゾン発生装置を適用したものである。
【図３】図１および図２に示す洗濯機の、この発明に関連ある制御部分の構成を示すブロック図である。
【図４】洗い工程の前におけるオゾン供給において、図３に示す制御部の制御動作を説明するためのフローチャートである。
【図５】乾燥工程におけるオゾン供給において、図３に示す制御部の制御動作を説明するためのフローチャートである。
【図６】乾燥工程において、経過時間（横軸）に応じて変化する部材の状態（縦軸）を示したグラフであり、（ａ）は、出口１６の温度、（ｂ）は、ヒータ２０の動作状態、（ｃ）は、ブロア２０の回転状態、（ｄ）は、オゾンのドラム３内ヘの供給状態を示したものである。
【発明を実施するための形態】
【００２３】
以下には、図面を参照して、この発明の実施形態について具体的に説明をする。
【００２４】
図１は、この発明の一実施形態に係る電気洗濯機の構成の概要を表わす側面縦断面図である。この実施形態に係る洗濯機１は、その外殻がハウジング２によって区画されている。ハウジング２内の中央部には、処理槽としてのドラム３が配置されている。
【００２５】
ドラム３は、円筒状をしており、同じく円筒状の外槽５内に同軸状に収容されている。この実施形態では、ドラム３および外槽５が洗濯槽（処理槽）を構成しており、ドラム３の前方が斜め上方を向くいわゆる斜めドラム配置構造になっている。ドラム３および外槽５の前端面は開放しており、それを塞ぐために、ハウジング２の前面には扉６が備えられている。外槽５の後端面後方にはモータ７が備えられ、ドラム３はモータ７により回転軸８を中心に回転される。
【００２６】
洗濯および脱水について具体的に説明すると、洗濯時には、外槽５に水が溜められる。外槽５は空密的、液密的に構成されているが、ドラム３はその周面に多数の小孔が形成されている。従って、外槽５に水が溜められると、溜められた水はドラム３内にも入り、洗浄用の水がドラム３内にも溜まる。ドラム３の内周面には、適宜の箇所にバッフル９が突設されている。洗濯をする衣類は、扉６が開けられて、ハウジング２の前面からドラム３内に収容される。扉６が閉められた後、ドラム３がモータ７により回転されると、ドラム３内の水を含んだ衣類はバッフル９により持ち上げられ、自然落下されるいわゆる叩き洗いが行われる。
【００２７】
外槽５の最下端部、すなわち後端面下方には、排水口１０が形成され、排水口１０にはハウジング２外へ延びた排水管１１が連通されている。排水管１１の途中には排水バルブ１２が介挿されている。排水バルブ１２が「開」にされると、外槽５内の水がハウジング２外へ排出される。
【００２８】
そして、外槽５内の水が排出された後、モータ７によってドラム３が脱水回転（高速回転）され、衣類に含まれる水分が脱水される。
【００２９】
この実施例に係る洗濯機１は、洗濯および脱水に加えて、乾燥を行うことができる。そのために、外槽５の後端面下方には、乾燥風路１５の出口１６が連通されている。なお、出口１６には、出口１６の温度を測定する乾燥度合い検知手段としての温度センサ１３が備えられている。乾燥風路１５は、外槽５の後端面沿いに斜め上方に延び、外槽５の上部沿いに前方側へ回り込み、外槽５の上部周面に沿って前方へと延び、その先端は、外槽５の前方周面に入口１７として連通している。この乾燥風路１５は、外槽５の後端面沿いに斜め上方へ延びる領域が、除湿手段としての除湿パイプ１８として機能している。ドラム３内の高温多湿の空気は、出口１６から出て除湿パイプ１８内を上方へ移動する。その際、除湿パイプ１８内では、図示しない水管から水が落下される。この水と高温多湿の空気が熱交換をして、高温多湿の空気の冷却および除湿が行われる。そして、水管からの水と除湿された際に液化した水分とが、除湿パイプ１８内を落下した後、出口１６を介して排水口１０に達し、排水バルブ１２が開かれると、ハウジング２外へ排出される。
【００３０】
乾燥風路１５内には、空気の流れ方向に見て、除湿パイプ１８の下流側にフィルタ１９が内挿され、さらにその下流側には送風手段としてのブロア２０が設けられている。ブロア２０が回転されることによって、ドラム３内の空気が出口１６から出て乾燥風路１５内を移動され、入口１７から再びドラム３内へと供給される。乾燥風路１５のブロア２０よりも下流側には、ヒータ２１が内挿されている。乾燥風路１５を通る空気は、除湿パイプ１８において除湿され、その後、加熱手段としてのヒータ２１によって加熱されて、入口１７からドラム３へと供給される。
【００３１】
ハウジング２内の、外槽５の上部には、オゾン発生装置４０が設けられている。オゾン発生装置４０は、その前側に備えられてハウジング２の外表面に開口部を有する空気流路４５からフィルタ４１を介して取り込んだ空気に対し、コロナ放電を加えてオゾンを発生する装置である。オゾン発生装置４０を通過した空気にはオゾンが含まれている。
【００３２】
オゾン発生装置４０で発生されるオゾンを含んだ空気は、さらに、供給路４４によって乾燥風路１５へ与えられる。与えられる位置は、乾燥風路１５におけるフィルタ１９の下流側で、ブロア２０の上流側（ブロア２０の吸い込み側）である。ブロア２０が回転すると、その吸い込み側が負圧となり、オゾンを含む空気が供給路４４を介してブロア２０へと吸い込まれる。そして乾燥風路１５を循環される空気にオゾンが混入されて、オゾンは入口１７からドラム３へと供給される。このため、発生させたオゾンを放出するためのエアポンプ等の特別な装置を設ける必要がなく、簡易な機構によりオゾン発生装置４０を構成することができる。なお、供給路４４には、オゾンを含んだ空気を通過させるか否かを制御するために、バルブ５０が介在されている。乾燥風路１５を空気が循環されるのは、ドラム３内の衣類が乾燥される際である。このため、乾燥される衣類に対し、オゾンが供給され、衣類に付着されている臭い成分や、雑菌成分は、供給されるオゾンにより酸化されて、消臭および除菌される。オゾンを浴びせる衣類が乾燥している程、オゾンが衣類の内部にまで浸透するので、消臭および除菌の効果は高い。また、ヒータ２１に加熱された空気がドラム３内に供給されることにより、衣類も高温となり、オゾンによる衣類の消臭および除菌の効果は一層高くなる。特に消臭効果は高温下においてさらに向上する。また、オゾンにより衣類の消臭および除菌が行われている間、ドラム３は常に回転している。ドラム３が回転することにより、外槽５内では気流が生じる。この気流により、ドラム３の配置された外槽５に連通する乾燥風路１５の入口１７を介して、乾燥風路１５内に風の流れが生じるので、オゾンをドラム３内に一層供給することができ、また、ドラム３が回転することにより衣類が攪拌されるので、オゾンを衣類に満遍なく浴びせることができ、結果として衣類の消臭および除菌が促進される。なお、このオゾン発生装置４０は、乾燥風路１５から離れて外槽５の上部に配置されているので、コロナ放電を行ってオゾンを発生するオゾン発生素子の交換が容易となる。
【００３３】
また、ドラム３を収容した外槽５は、液密的かつ空密的な構造であり、オゾン発生装置４０で発生されるオゾンがハウジング２から外部に漏れることはない。よって、この洗濯機１は、オゾン臭等が外部に漂ったりしない、安全でかつ使用上の不都合のない装置とすることができる。
【００３４】
また、オゾン発生装置４０の変形例として、図２に示すものが挙げられる。なお、図２において、上記に説明した部材と同様の部材には、同一の参照符号を付し、その説明を省略する。
【００３５】
このオゾン発生装置４０は、乾燥風路１５に対するバイパスとなり、その上流側には吸込路４３が接続され、その下流側には上述した供給路４４が接続されている。吸込路４３の、オゾン発生装置４０に接続された一端部とは反対側の他端部は、乾燥風路１５における、ブロア２０の下流側（ブロア２０の吐き出し側）で、ヒータ２１の上流側の位置に連通している。供給路４４の、オゾン発生装置４０に接続された一端部とは反対側の他端部は、乾燥風路１５における、ヒータ２１の下流側で、入口１７の上流側の位置に連通している。
【００３６】
そのため、乾燥風路１５を循環される空気の一部は、ブロア２０の回転によりその下流側に吐き出された勢いにより、吸込路４３からオゾン発生装置４０を通過し、コロナ放電が加えられ、オゾンが発生される。そしてオゾン発生装置４０で発生されるオゾンを含んだ空気は、引き続き上流側から流入してくる空気に押されて、供給路４４から乾燥風路１５へ与えられ、ヒータ２１にて加熱された空気とともに入口１７からドラム３へと供給される。
【００３７】
このようなオゾン発生装置４０においては、オゾンを発生させるための空気を、洗濯機１の外部から取り込む必要がなく、また、発生させたオゾンを乾燥風路１５に与えるための特別な装置を設ける必要もないので、機構の簡易化を図ることができる。また、このオゾン発生装置４０は、乾燥風路１５から離れて外槽５の上部に配置されているので、コロナ放電を行ってオゾンを発生するオゾン発生素子の交換が容易となる。
【００３８】
図３は、図１および図２に示す洗濯機における制御回路構成ブロック図であり、オゾン供給制御に関する構成要素だけが示されている。
【００３９】
洗濯機１には、たとえばマイクロコンピュータ等で構成されたオゾン供給制御手段としての制御部５１が備えられており、制御部５１によって、オゾン発生装置４０、排水バルブ１２およびバルブ５０の切り換え制御が行われる。また、制御部５１は、温度センサ１３が測定した出口１６の温度に応じてオゾン供給制御を行う。
【００４０】
図４および図５は、図３に示す制御部５１により行われる制御の一例を示すブロック図である。図４および図５の流れに従って、図１および図２に示す洗濯機１におけるオゾンを利用した衣類の消臭および除菌について説明をする。
【００４１】
図１および図２に示す洗濯機１は、洗い工程→脱水→すすぎ１工程→脱水→すすぎ２工程→脱水→乾燥工程、の順で洗濯および脱水が行われるものとする。上述したように、この発明において、衣類の消臭および除菌効果を向上するには、乾燥している衣類にオゾンを供給することが肝要である。そのため、衣類へのオゾン供給は、衣類が乾燥している洗い工程の前、または乾燥工程に行われるのが望ましい。また、洗い工程の前にオゾン供給された場合、衣類に付着した汚れ成分がオゾンに分解されることにより、洗浄効果の向上を図ることもできる。なお、オゾン供給は、洗い工程の前および乾燥工程のどちらかで行われても良いし、両方で行われても構わない。オゾン供給時間が長いほど、衣類の消臭および除菌が促進される。
【００４２】
また、洗い工程→脱水→すすぎ１工程→脱水、またはその後の、すすぎ２工程→脱水で洗濯が完了する、すなわち乾燥工程が省略される場合もあり、この場合、脱水後の衣類にオゾンを供給することにより、衣類の消臭および除菌効果の向上を図ることができる。特に、脱水前の洗い工程やすすぎ工程において風呂水等を用いる場合には、風呂水に含まれる臭い成分および雑菌成分が衣類に付着するのを防止することができる。
【００４３】
以下にて、洗い工程の前におけるオゾン供給を、図４に示すフローチャートを参照して説明する。そして、乾燥工程におけるオゾン供給を、図５に示すフローチャートと、図６に示す、ヒータ２１およびブロア２０の作動状態、出口１６の温度、ならびにオゾンの供給状態の、経過時間に応じた変化を示したグラフとを参照して説明する。
【００４４】
図４において、図３に示す制御部５１は、負荷量検知手段としての役割も兼ね、扉６を閉じた状態でロックした後、ドラム３に一定の電力をかけ、ドラム３を、先ず、ある程度の回転数（たとえば６５ｒｐｍ）で回転させ、その後電力は一定のまま、たとえば１４０ｒｐｍまで回転数を上げて、衣類をドラム３の内周面に貼り付けさせる。そして、図示しないタイマにより計測した、回転数が上述の６５ｒｐｍから１４０ｒｐｍまで上昇するのに要した時間から、ドラム３にかかる負荷量、すなわちドラム３内に収容された衣類の量を検知する（ステップＳ１）。ドラム３内に収容された衣類の量が所定量以上であれば（ステップＳ１のＹＥＳ）、ドラム３の回転を停止した後にオゾン発生装置４０を動作させ（ステップＳ２）、ドラム３の回転を再開し、ヒータ２１をＯＮしてブロア２０を回転させ、バルブ５０を開く（ステップＳ３）。これにより、オゾン発生装置４０で発生されるオゾンを含む空気は、供給路４４を通って乾燥風路１５に与えられ、出口１７からドラム３内の衣類へ供給される。このため、衣類の消臭および除菌ならびに汚れ成分の分解による洗浄が行われる。また、扉６はロックされており、不用意に開かれることがないので、ドラム３内に供給されたオゾンが漏れ出す心配もない。制御部５１は、オゾンがドラム３内に供給されている間、ドラム３を回転させており、攪拌された衣類にオゾンを満遍なく浴びせることができるので、衣類の消臭および除菌が促進される。そして、制御部５１は、一定時間たとえば１０分間ドラム３内にオゾンを供給した後、オゾン発生装置４０の作動を停止させ（ステップＳ４）、バルブ５０を閉じ（ステップＳ５）、ヒータ２１をＯＦＦしてブロア２０およびドラム３の回転を停止する。なお、排水バルブ１２は、洗い工程の前において開いていても構わないが、洗い工程において外槽５内に水を溜めるので、洗い工程を開始するまでに閉じられる（ステップＳ６）。その後、次の洗い工程へ進み（ステップＳ７）、引き続いて、上述した、脱水→すすぎ１工程→脱水→すすぎ２工程が行われる。
【００４５】
一方、ドラム３内に収容された衣類の量が所定量以下であれば（ステップＳ１のＮＯ）、制御部５１は、洗濯機１の運転を停止し、ユーザに対して、衣類を所定量以上ドラム３内に収容するように警告する（ステップＳ８）。また、バルブ５０も閉じたままである。仮にオゾン発生装置４０を動作させてバルブ５０を開き、ドラム３内にオゾンを供給した場合、衣類に付着されている臭い成分および雑菌成分に反応できないオゾンがドラム内に残留する。そしてドラム３内へのオゾンの供給が続くと、未反応のオゾンの濃度が高くなる。そのため、制御部５１により、ドラム３内に収容された衣類の量が所定量以下であれば、オゾンが発生されないので、オゾンの濃度が高くなる虞はなく、洗濯機１においてオゾンは安全に制御される。
【００４６】
すすぎ２工程の後、脱水が行われ、図３に示す制御部５１は、ヒータ２１をＯＮしてブロア２０およびドラム３を回転させ、ドラム３内の衣類を乾燥するための乾燥工程を開始する。
【００４７】
乾燥工程が開始されると、図６（ａ）に示すように、制御部５１は、温度センサ１３が測定する出口１６の温度を、時間の経過とともに常に監視している。出口１６の温度は、ヒータ２１によって加熱され、入口１７からドラム３内に入り、衣類の水分を吸収して出口１６を通過する空気の温度である。制御部５１は、出口１６の温度によって、衣類の乾燥の度合いを判断する。なお、排水バルブ１２は乾燥工程開始から終了まで常に開かれており、上述したように衣類の水分と水管からの水とが、除湿パイプ１８内を落下した後、出口１６を介して排水口１０に達し、開かれた排水バルブ１２を経て、ハウジング２外へ排出される。
【００４８】
図６（ａ）において、出口１６の温度が所定温度（ハイリミッタ）に達したか否かにより、図５において、衣類の乾燥がほぼ完了（たとえば、約９０％完了）したか否かの判別をする（ステップＳ１０１）。
【００４９】
そして、衣類の乾燥がほぼ完了したとき（ステップＳ１０１のＹＥＳ）には、図６に示すように、図示しないタイマにより予め定めた設定時間（衣類の量によって変動する）、たとえば１０分間出口１６の温度が上記した所定温度を維持するように、ヒータ２１が制御部５１によって適宜ＯＮまたはＯＦＦされる。出口１６の温度の制御を開始すると同時に、制御部５１は、扉６を閉じた状態でロックし（以前からロックされているのであれば省略される）、オゾン発生装置４０を動作させ（図５のステップＳ１０２）、供給路４４に設けられているバルブ５０を開く（図５のステップＳ１０３）。これにより、オゾン発生装置４０で発生されるオゾンを含む空気は、供給路４４を通って乾燥風路１５に与えられ、出口１７からドラム３内の衣類へ供給される。このため、衣類の消臭および除菌が行われる。このように、衣類の乾燥がほぼ完了したときに、衣類にオゾンを浴びせるので、オゾンが衣類の内部にまで効率よく浸透し、衣類の消臭および除菌の効果を向上することができる。また、扉６はロックされており、不用意に開かれることがないので、ドラム３内に供給されたオゾンが漏れ出す心配もない。
【００５０】
なお、図５のステップＳ１０１でＮＯの場合、衣類の乾燥が継続される。
【００５１】
そして、上記した設定時間までドラム３内にオゾンを供給した後、オゾン発生装置４０の作動を停止させ（図５のステップＳ１０４）、バルブ５０を閉じ（図５のステップＳ１０５）、ヒータ２１をＯＦＦし（図６（ｂ）参照）、オゾンの供給を停止する（図６（ｄ）参照）。なお、図６（ｃ）に示すように、ブロア２０およびドラム３の回転は継続されており、加熱されていない空気がドラム３内に供給されて、所定温度まで衣類を冷却するいわゆるクールダウン運転が、たとえば５〜１０分間行われる（図５のステップＳ１０６）。このクールダウン運転中において、ドラム３を含めたハウジング２内全てのオゾンが酸化反応により消滅し、オゾンの濃度は人体にとって影響のないレベルにまで低下する。また、扉６は、ドラム３内へのオゾン供給開始時からクールダウン運転が終了した後も、引き続き、たとえばオゾン供給停止後からは約２０分間ロックされており、不用意に開かれることがないので、オゾンが漏れ出す虞はなく、オゾンの制御が安全なものとなる。その後、ブロア２０およびドラム３は回転を停止し、乾燥工程は終了する。このため、乾燥工程終了後に、ユーザが扉６を開けたときに、オゾン臭等が外部に漂ったりせず、安全である。また、衣類も冷却されているので快適に取り出すことができる。
【００５２】
この発明は、以上説明した実施形態に限定されるものではなく、請求項記載の範囲内において種々の変更が可能である。また、この実施形態では、斜めドラム配置構造の衣類乾燥機能付きの洗濯機について説明したが、この発明は、ドラムが水平配置または垂直配置されたものについても適用可能であり、また、洗濯機または衣類乾燥機などに適用することもできる。
【符号の説明】
【００５３】
１      洗濯機
３      ドラム
１３    温度センサ
１５    乾燥風路
１６    出口
１７    入口
１８    除湿パイプ
２０    ブロア
２１    ヒータ
４０    オゾン発生装置
５１    制御部
【図１】
2010264305.tif 000003
【図２】
2010264305.tif 000004
【図３】
2010264305.tif 000005
【図４】
2010264305.tif 000006
【図５】
2010264305.tif 000007
【図６】
2010264305.tif 000008